(57)【要約】【課題】スクラップの発生場所および荷下ろし場の状況に応じた効率的な車両運用ができるように管制員を支援し、横持を少なくする。【解決手段】スクラップ回収車両の配車計画支援システム１０は、管制室Ｃからスクラップ回収車両Ｖにスクラップ発生場所Ｐ１へのスクラップ回収と荷下ろし場Ｐ２へのスクラップ搬送とを指示する際の配車計画を支援するものであって、スクラップ発生場所Ｐ１に設置され、回収されるべきスクラップを撮像する第１のＷｅｂカメラ１２と、荷下ろし場Ｐ２に設置されスクラップ置き場を撮像する第２のＷｅｂカメラ１４と、管制室Ｃ内に設置され、第１および第２のＷｅｂカメラ１２，１４からの映像をリアルタイムで表示するリアルタイム映像表示装置１６とを備える。【選択図】図１
2020061092.tif 000002
【特許請求の範囲】
【請求項１】
管制室からスクラップ回収車両にスクラップ発生場所へのスクラップ回収と荷下ろし場へのスクラップ搬送とを指示する際の配車計画を支援するスクラップ回収車両の配車計画支援システムであって、
前記スクラップ発生場所に設置され、回収されるべきスクラップを撮像する第１のＷｅｂカメラと、
前記荷下ろし場に設置されスクラップ置き場を撮像する第２のＷｅｂカメラと、
前記管制室内に設置され、前記第１および第２のＷｅｂカメラからの映像をリアルタイムで表示するリアルタイム映像表示装置と、を備えることを特徴とするスクラップ回収車両の配車計画支援システム。
【請求項２】
前記スクラップ回収車両に搭載されたＧＰＳ端末と、
前記管制室内に設置され、前記ＧＰＳ端末からの位置データに基づき、前記スクラップ回収車両の現在位置を表示する車両位置情報表示装置と、を備えることを特徴とする、請求項１に記載のスクラップ回収車両の配車計画支援システム。
【請求項３】
前記スクラップ回収車両に搭載された車載端末と、
前記管制室内に設けられた管理装置と、を備え、
前記車載端末は、前記管理装置からスクラップの回収場所およびその搬送先を含む作業指示を受信、表示する機能と、作業の進捗状況の入力を受け付けて該進捗状況を前記管理装置に送信する機能とを少なくとも有し、
前記管理装置は、前記車載端末から送信された前記進捗状況を、該スクラップ回収車両の現在位置とともに前記車両位置情報表示装置に表示する機能を少なくとも有することを特徴とする、請求項２に記載のスクラップ回収車両の配車計画支援システム。
【請求項４】
前記車両位置情報表示装置は、停止中のスクラップ回収車両を示すマークの表示を変化させるよう構成されていることを特徴とする、請求項３に記載のスクラップ回収車両の配車計画支援システム。
【請求項５】
管制室からスクラップ回収車両にスクラップ発生場所へのスクラップ回収と荷下ろし場へのスクラップ搬送とを指示する際の配車計画を支援するスクラップ回収車両の配車計画支援方法であって、
前記スクラップ発生場所に設置された第１のＷｅｂカメラで回収されるべきスクラップを撮像することと、
前記荷下ろし場に設置された第２のＷｅｂカメラでスクラップ置き場を撮像することと、
前記管制室内に設置されたリアルタイム映像表示装置に、前記第１および第２のＷｅｂカメラからの映像を表示することと、を含むことを特徴とするスクラップ回収車両の配車計画支援方法。
【請求項６】
前記管制室内に設置された車両位置情報表示装置に、前記スクラップ回収車両に搭載されたＧＰＳ端末からの位置データに基づき、該スクラップ回収車両の現在位置を表示することを含むことを特徴とする、請求項５に記載のスクラップ回収車両の配車計画支援方法。
【請求項７】
前記スクラップ回収車両に搭載された車載端末が、前記管制室内に設けられた管理装置からスクラップの回収場所およびその搬送先を含む作業指示を受信、表示することと、作業の進捗状況の入力を受け付けて該進捗状況を前記管理装置に送信することとを含み、
前記管理装置が、前記車載端末から送信された前記進捗状況を、該スクラップ回収車両の現在位置とともに前記車両位置情報表示装置に表示することを含むことを特徴とする、請求項６に記載のスクラップ回収車両の配車計画支援方法。
【請求項８】
前記車両位置情報表示装置が、停止中のスクラップ回収車両を示すマークの表示を変化させることを含む、請求項７に記載のスクラップ回収車両の配車計画支援方法。
【発明の詳細な説明】
【技術分野】
【０００１】
本発明は、管制室からスクラップ回収車両にスクラップ発生場所へのスクラップ回収と荷下ろし場へのスクラップ搬送とを指示する際の配車計画を支援するスクラップ回収車両の配車計画支援システムおよび方法に関する。
【背景技術】
【０００２】
例えば、製鉄所では、副産物や廃棄物等のスクラップが多く発生する。発生したスクラップはスクラップ回収車両（ダイナソア）で回収され、所定の荷下ろし場まで搬送される。スクラップは一箇所ではなく複数の場所で発生し、その荷下ろし場も複数存在するため、同時に複数台の車両をスクラップの回収、搬送のために運用する必要がある。そのため、管制室では、管制員が各スクラップ回収車両の運用状況、置き場の状況を集約して各車両に作業指示を出すことが行われている。
【０００３】
製品配送の分野では、特許文献１に、輸送車両に搭載されたＧＰＳ端末を用いて２個のノード地点間を移動する輸送車両のサイクルタイム実績を２個のノード地点の組み合わせ毎および輸送時間帯毎に自動的に収集する配送実績収集システムが開示さている。
【０００４】
特許文献２には、製品輸送車両ごとに搭載された車載システムと、物流拠点に設けられた管理システムとのそれぞれに、車両運行情報を伝送する広域無線通信手段を設け、該広域無線通信手段を介して車載システムと管理システムとの間で車両運行情報を伝送するようにした製品搬送車両管理システムが開示されている。
【先行技術文献】
【特許文献】
【０００５】
【特許文献１】特開２０１０−２４４２４７号公報
【特許文献２】特開２００７−２２６３６３号公報
【発明の概要】
【発明が解決しようとする課題】
【０００６】
しかしながら、製鉄所では副産物、廃棄物等のスクラップの発生状況（発生量、形状等）および置場の状況が操業状況によって常に変動するが、現状ではその把握が困難であり、積場に到着したら回収するスクラップが無かったもしくは少なすぎたという不具合や、荷下ろし場が一杯で空いている荷下ろし場を探すのに荷下ろし場から荷下ろし場まで彷徨うという無駄が生じており、従来の技術だけでは変動に対応した最適な運用を行うのに支障があった。また、管制員の習熟度の違いにより配車効率にばらつきが多かった。
【０００７】
本発明の目的は、スクラップの発生場所および荷下ろし場の状況に応じた効率的な車両運用ができるように管制員を支援し、横持を極力少なくすることができるスクラップ回収車両の配車計画支援システムおよび方法を提供することにある。
【課題を解決するための手段】
【０００８】
本発明のスクラップ回収車両の配車計画支援システムは、管制室からスクラップ回収車両にスクラップ発生場所へのスクラップ回収と荷下ろし場へのスクラップ搬送とを指示する際の配車計画を支援するスクラップ回収車両の配車計画支援システムであって、前記スクラップ発生場所に設置され、回収されるべきスクラップを撮像する第１のＷｅｂカメラと、前記荷下ろし場に設置されスクラップ置き場を撮像する第２のＷｅｂカメラと、前記管制室内に設置され、前記第１および第２のＷｅｂカメラからの映像をリアルタイムで表示するリアルタイム映像表示装置と、を備えるものである。
【０００９】
本発明の有利な態様では、スクラップ回収車両の配車計画支援システムは、前記スクラップ回収車両に搭載されたＧＰＳ端末と、前記管制室内に設置され、前記ＧＰＳ端末からの位置データに基づき、前記スクラップ回収車両の現在位置を表示する車両位置情報表示装置と、を備える。
【００１０】
本発明の有利な態様では、スクラップ回収車両の配車計画支援システムは、前記スクラップ回収車両に搭載された車載端末と、前記管制室内に設けられた管理装置と、を備え、前記車載端末は、前記管理装置からスクラップの回収場所およびその搬送先を含む作業指示を受信、表示する機能と、作業の進捗状況の入力を受け付けて該進捗状況を前記管理装置に送信する機能とを少なくとも有し、前記管理装置は、前記車載端末から送信された前記進捗状況を、該スクラップ回収車両の現在位置とともに前記車両位置情報表示装置に表示する機能を少なくとも有する。
【００１１】
本発明の有利な態様では、前記車両位置情報表示装置は、停止中のスクラップ回収車両を示すマークの表示を変化させるよう構成されている。
【００１２】
本発明のスクラップ回収車両の配車計画支援方法は、管制室からスクラップ回収車両にスクラップ発生場所へのスクラップ回収と荷下ろし場へのスクラップ搬送とを指示する際の配車計画を支援するスクラップ回収車両の配車計画支援方法であって、前記スクラップ発生場所に設置された第１のＷｅｂカメラで回収されるべきスクラップを撮像することと、前記荷下ろし場に設置された第２のＷｅｂカメラでスクラップ置き場を撮像することと、前記管制室内に設置されたリアルタイム映像表示装置に、前記第１および第２のＷｅｂカメラからの映像を表示することと、を含むものである。
【００１３】
本発明の有利な態様では、スクラップ回収車両の配車計画支援方法は、前記管制室内に設置された車両位置情報表示装置に、前記スクラップ回収車両に搭載されたＧＰＳ端末からの位置データに基づき、該スクラップ回収車両の現在位置を表示することを含む。
【００１４】
本発明のスクラップ回収車両の配車計画支援方法の有利な態様では、前記スクラップ回収車両に搭載された車載端末が、前記管制室内に設けられた管理装置からスクラップの回収場所およびその搬送先を含む作業指示を受信、表示することと、作業の進捗状況の入力を受け付けて該進捗状況を前記管理装置に送信することとを含み、前記管理装置が、前記車載端末から送信された前記進捗状況を、該スクラップ回収車両の現在位置とともに前記車両位置情報表示装置に表示することを含む。
【００１５】
本発明のスクラップ回収車両の配車計画支援方法の有利な態様では、前記車両位置情報表示装置が、停止中のスクラップ回収車両を示すマークの表示を変化させることを含む。
【発明の効果】
【００１６】
本発明によれば、第１および第２のＷｅｂカメラでスクラップ発生場所および荷下ろし場の状況をリアルタイムで確認し、それに基づき管制員が配車計画を立てることができるので、積場に到着したら回収するスクラップが無かったもしくは少なすぎたという不具合を防止することができるとともに、荷下ろし場のスクラップ置き場に空きがなく空いている荷下ろし場を探すため荷下ろし場から荷下ろし場へ彷徨うという無駄を大幅に低減することができる。したがって、全体として、スクラップ回収車両の配車効率を向上させることができるとともに、スクラップ回収車両によるスクラップの保持時間を低減することができる。また、管制員の習熟度の違いによる配車効率のばらつきも低減することができる。
【図面の簡単な説明】
【００１７】
【図１】本発明の一実施形態のスクラップ回収車両の配車計画支援システムおよび方法を含む、製鉄所におけるスクラップ回収の概要を示した図である。
【図２】本発明の一実施形態のスクラップ回収車両の配車計画支援システムおよび方法を含む、製鉄所におけるスクラップ回収手順を示すフロー図である。
【発明を実施するための形態】
【００１８】
以下、本発明の実施の形態を図面に基づき詳細に説明する。ここで図１は、一実施形態のスクラップ回収車両の配車計画支援システムを含む、製鉄所におけるスクラップ回収の概要を示した図である。
【００１９】
製鉄所内には、製品や処理に応じた複数の工場があり、これらの工場はそれぞれスクラップ発生場所Ｐ１となり得る。一例では、１つの製鉄所内に２０を超えるスクラップ発生場所Ｐ１がある。また、製鉄所内には、スクラップ発生場所Ｐ１から回収したスクラップを下ろすための荷下ろし場Ｐ２があり、荷下ろし場Ｐ２は例えば転炉やヤードである。スクラップ発生場所Ｐ１と同様、製鉄所内には複数の荷下ろし場Ｐ２がある。
【００２０】
スクラップ発生場所Ｐ１までスクラップを回収しに行き、回収したスクラップを荷下ろし場Ｐ２まで搬送するために複数台のスクラップ回収車両（ダイナソア）Ｖが用いられる。このために、管制室Ｃ（管制員）により、各スクラップ回収車両Ｖに対してスクラップ発生場所Ｐ１へのスクラップ回収と荷下ろし場Ｐ２へのスクラップ搬送が指示される。
【００２１】
スクラップ発生場所Ｐ１でのスクラップ発生状況（発生量や形状、大きさ、種類等）は工場の稼動状況に応じて変動し得る。同様に、荷下ろし場Ｐ２の状況（スクラップ置き場の空き具合等）もスクラップの使用状況等に応じて変動し得る。
【００２２】
本実施形態のスクラップ回収車両Ｖの配車計画支援システム１０は、各スクラップ発生場所Ｐ１に設置され、回収されるべきスクラップを撮像する第１のＷｅｂカメラ１２と、各荷下ろし場Ｐ２に設置され、スクラップ置き場を撮像する第２のＷｅｂカメラ１４と、管制室Ｃ内に設置され、第１および第２のＷｅｂカメラ１２，１４からの映像をリアルタイムで表示するリアルタイム映像表示装置１６とを備える。これにより、スクラップ発生場所Ｐ１でのスクラップ発生状況等および荷下ろし場Ｐ２の空き状況をリアルタイムで確認することができる。リアルタイム映像表示装置１６は、モニタと表示制御部とを有する。表示制御部は、演算部、記憶部および通信部等を備えた一般的なコンピュータであり、例えばパーソナルコンピュータ（ＰＣ）である。モニタの台数を減らすためには、１つのモニタに、複数のＷｅｂカメラ１２，１４からの映像を表示することが好ましいが、各モニタに１つのＷｅｂカメラ１２，１４からの映像のみを表示するようにしてもよい。また、第１および第２のＷｅｂカメラ１２，１４は、その撮像範囲を遠隔操作で変更できるように構成されていることが好ましい。なお、本明細書における「Ｗｅｂカメラ」とは、ワールド・ワイド・ウェブ（World Wide Web，以後省略してＷＷＷとする）、インスタントメッセージ、ＰＣビデオ等を使用して、撮影された画像にアクセスできるリアルタイムカメラのことである。ライブカメラ（生中継カメラ）とも呼ばれることもある。一般的に、撮影された画像は、リアルタイム、または一定間隔で保存される。ＰＣに接続しリアルタイム画像転送の可能なＵＳＢ（ユニバーサル・シリアル・バス，Universal Serial Busの略称）、IEEE 1394等のインタフェースを持ったカメラのほかに、ネットワークインタフェースを持ち、ＷＷＷでアクセス可能なカメラのついた組み込み機器（一般的に、ネットワークカメラと呼ばれる）も含む。
【００２３】
また、本実施形態のスクラップ回収車両Ｖの配車計画支援システム１０は、スクラップ回収車両Ｖに搭載されたＧＰＳ（Global Positioning System）端末１８と、管制室Ｃ内に設置され、ＧＰＳ端末１８からの位置データに基づき、スクラップ回収車両Ｖの現在位置をほぼリアルタイムで表示する車両位置情報表示装置２０と、を備えている。これにより、管制員は各スクラップ回収車両Ｖ毎の位置をほぼリアルタイムに把握できるため、ある時点におけるスクラップ回収車両Ｖの配車要望に対して、複数のスクラップ回収車両Ｖの中から例えば最も近くに位置する車両を確実に選択することができる。さらに、車両位置情報表示装置２０は、スクラップ回収車両Ｖの現在位置を表示するため、管制員は視覚的に位置が把握でき、車両選択がより容易になる。車両位置情報表示装置２０は、モニタと表示制御部とを有する。表示制御部は、演算部、記憶部および通信部等を備えた一般的なコンピュータであり、例えばパーソナルコンピュータである。
【００２４】
さらに、本実施形態のスクラップ回収車両Ｖの配車計画支援システム１０は、スクラップ回収車両Ｖに搭載された車載端末２２と、管制室Ｃ内に設けられた管理装置２４と、を備えている。車載端末２２の一例は、操作部、表示部、演算部、記憶部および通信部等が一体化されたタブレッド型のコンピュータである。管理装置２４は、演算部、記憶部および通信部等を備えた一般的なコンピュータであり、例えばパーソナルコンピュータである。
【００２５】
車載端末２２は、管理装置２４からスクラップの回収場所（積場）およびその搬送先（荷下ろし場Ｐ２）を含む作業指示を受信、表示する機能と、作業の進捗状況（回収、搬送の実績）の入力を受け付けて該進捗状況を管理装置２４に送信する機能とを少なくとも有する。
【００２６】
管理装置２４は、車載端末２２から送信されたスクラップ回収車両Ｖの作業進捗状況（回収、搬送の実績）を、該スクラップ回収車両Ｖの同時点における現在位置とともに車両位置情報表示装置２０のモニタに表示する機能を少なくとも有する。これにより、管制室Ｃには、各スクラップ回収車両Ｖ毎の、ほぼリアルタイムでの位置情報に加えて、作業の進捗状況も最新の進捗状況が集約される。このため、管制員は、ある時点におけるスクラップ回収車両Ｖの配車要望に対して、複数のスクラップ回収車両Ｖの中から十分な空きがあり、かつ、スクラップ発生場所Ｐ１に近い車両を確実に選択することができる。
【００２７】
さらに車両位置情報表示装置２０は、停止中のスクラップ回収車両Ｖを示すマークの表示を変化させる機能を有することが好ましい。これにより何らかの作業中で停止中のスクラップ回収車両Ｖを配車計画から外すことができるので、スクラップ回収車両Ｖの計画通りの運用が可能となる。なお、交差点等における一時的な停車と区別するため、車両位置情報表示装置２０が停止時間をカウントし、所定の停止時間に達した場合に車両位置情報表示装置２０のモニタ中で停止中のスクラップ回収車両Ｖを示すマークの表示を変化させることが好ましい。
【００２８】
次に、図１および図２を参照し、一実施形態のスクラップ回収車両Ｖの配車計画支援方法を含む、スクラップ回収・搬送方法について説明する。
【００２９】
まず、ステップＳ１では、任意のスクラップ発生場所Ｐ１から管制室Ｃにスクラップ回収が例えばプッシュ回線を介して依頼される。このとき種類（成分）の情報も管制員に伝達されてもよい。例えば、特殊合金（Ｎｉ，Ｍｏ，Ｃｒなど）を含む場合は分別して回収を行い、その情報をもとに搬送先の置場、投入容器への直送の可否を決定することができる。
【００３０】
ステップＳ２では、管制員は、第１のＷｅｂカメラ１２からの映像をリアルタイム映像表示装置１６のモニタで確認し、少なくともスクラップ量を確認する。このとき管制員は、スクラップの形状や種類（成分）も確認してもよい。管制員は、例えば、スクラップ発生場所Ｐ１においてスクラップ収容器に記載された文字等を確認することでスクラップの種類を判別することができる。
【００３１】
ステップＳ３では、複数のスクラップ回収車両Ｖの中から特定のスクラップ回収車両Ｖを選択し、管理装置２４に入力する。管制員は、例えば、十分な空きがありかつＧＰＳ端末１８からの位置情報によりスクラップ発生場所Ｐ１に近いスクラップ回収車両Ｖを選択し、管理装置２４に入力する。スクラップ回収車両Ｖの積み状況（空き具合）は、予め車載端末２２から運転手（作業員）により入力され、その情報は管理装置２４に送信されている。さらに、スクラップ回収車両Ｖの積み状況（空き具合）は、作業の進捗状況（回収、搬送の実績）が変わる度に、車載端末２２から運転手（作業員）により新たな作業の進捗状況（回収、搬送の実績）が入力され、その情報は管理装置２４に送信され即時に更新される。この為、管制室Ｃには、各スクラップ回収車両Ｖ毎の最新の作業の進捗状況（回収、搬送の実績）が集約される。管制員は、積み状況とスクラップ発生場所Ｐ１に対する位置とでは、積み状況を優先させることが好ましいが、位置を優先させてもよい。
【００３２】
ステップＳ４では、複数の荷下ろし場Ｐ２の中から特定の荷下ろし場Ｐ２を選択し、管理装置２４に入力する。管制員は、例えば、第２のＷｅｂカメラ１４からの映像をリアルタイム映像表示装置１６のモニタで確認し、スクラップ置き場に十分な空きがあり、かつステップＳ３で選択したスクラップ回収車両Ｖから近い荷下ろし場Ｐ２を選択する。管制員は、スクラップ置き場の空きとスクラップ回収車両Ｖの位置とでは、空きを優先することが好ましいが、位置を優先させてもよい。空き状況と位置だけでなくコスト面等で有利な荷下ろし場Ｐ２を選択できることもできる。例えば、使用場所である転炉に近接しているので横持費用が低いもしくは無いが狭い荷下ろし場Ｐ２と、転炉から遠く横持費用がかかるが広い荷下ろし場Ｐ２との２つを使い分けることができる。
【００３３】
ステップＳ５では、管理装置２４からスクラップ回収車両Ｖの車載端末２２へ、少なくとも積場、種類および荷下ろし場Ｐ２の情報が送信される。
【００３４】
ステップＳ６では、スクラップ回収車両Ｖの運転手（作業者）は、車載端末２２への作業指示に基づき、指定された積場で指定されたスクラップを回収し、指定された荷下ろし場Ｐ２まで回収したスクラップを搬送する。
【００３５】
ステップＳ７では、スクラップ回収車両Ｖの運転手は、車載端末２２を操作し、指示された作業の完了報告を管理装置２４に送信する。
【００３６】
本実施形態のスクラップ回収車両Ｖの配車計画支援システム１０および方法によれば、第１および第２のＷｅｂカメラ１２，１４でスクラップ発生場所Ｐ１および荷下ろし場Ｐ２の状況をリアルタイムで確認し、それに基づき配車計画を立てることができるので、積場に到着したら回収するスクラップが無かったもしくは少なすぎたという不具合を防止することができるとともに、荷下ろし場Ｐ２のスクラップ置き場に空きがなく空いている荷下ろし場Ｐ２を探すために荷下ろし場Ｐ２から荷下ろし場Ｐ２へ彷徨うという無駄を大幅に低減することができる。したがって、全体として、スクラップ回収車両Ｖの配車効率を向上させることができるとともに、スクラップ回収車両Ｖによるスクラップの保持時間を低減することができる。また、管制員の習熟度の違いによる配車効率のばらつきも低減することができる。
【００３７】
また、スクラップ回収車両Ｖに搭載されたＧＰＳ端末１８と、管制室Ｃ内に設置され、ＧＰＳ端末１８からの位置データに基づき、スクラップ回収車両Ｖの現在位置をほぼリアルタイムで表示する車両位置情報表示装置２０と、を備えるスクラップ回収車両Ｖの配車計画支援システム１０および方法の有利な態様によれば、管制員は各スクラップ回収車両Ｖ毎の位置をほぼリアルタイムで把握できるため、ある時点におけるスクラップ回収車両Ｖの配車要望に対して複数のスクラップ回収車両Ｖの中から例えば最も近くに位置する車両を確実に選択することができ、より効率的な配車計画を立てることが可能になる。
【００３８】
さらに、スクラップ回収車両Ｖに搭載された車載端末２２と、管制室Ｃ内に設けられた管理装置２４と、を備え、車載端末２２は、管理装置２４からスクラップの回収場所およびその搬送先を含む作業指示を受信、表示する機能と、作業の進捗状況の入力を受け付けて該進捗状況を管理装置２４に送信する機能とを少なくとも有し、管理装置２４は、車載端末２２から送信された進捗状況を、該スクラップ回収車両Ｖの同時点における現在位置とともに車両位置情報表示装置２０に表示する機能を少なくとも有する、スクラップ回収車両Ｖの配車計画支援システム１０および方法の有利な態様によれば、管制室Ｃには、各スクラップ回収車両Ｖのほぼリアルタイムでの位置情報に加えて、作業の進捗状況も最新の作業進捗状況が集約され、管制員は、ある時点でのスクラップ回収車両Ｖの配車要望に対して、複数のスクラップ回収車両Ｖの中から十分な空きがあり、かつ、スクラップ発生場所Ｐ１に近い車両を確実に選択することができるので、更に効率的な配車計画を立てることが可能になる。
【００３９】
さらに、車両位置情報表示装置２０が、停止中のスクラップ回収車両Ｖを示すマークの表示を変化させるよう構成されたスクラップ回収車両Ｖの配車計画支援システム１０および方法の有利な態様によれば、何らかの作業中で停止中のスクラップ回収車両Ｖを配車計画から外すことができるので、計画通りのスクラップ回収車両Ｖの運用が可能となる。
【産業上の利用可能性】
【００４０】
本発明により、スクラップの発生場所および荷下ろし場の状況に応じた効率的な車両運用ができるように管制員を支援し、横持を少なくすることができるスクラップ回収車両の配車計画支援システムおよび方法を提供することが可能となる。
【符号の説明】
【００４１】
１０  スクラップ回収車両の配車計画支援システム
１２  第１のＷｅｂカメラ
１４  第２のＷｅｂカメラ
１６  リアルタイム映像表示装置
１８  ＧＰＳ端末
２０  車両位置情報表示装置
２２  車載端末
２４  管理装置
Ｃ  管制室
Ｐ１  スクラップ発生場所
Ｐ２  荷下ろし場
Ｖ  スクラップ回収車両
【図１】
2020061092.tif 000003
【図２】
2020061092.tif 000004